(57)【要約】【課題】回転操作リングにおいて、複雑な部品構成が必要ない構成により温度変化による操作力の変化を防止した撮像装置を提供すること。【解決手段】回転操作リングをレンズ鏡筒周りに配置し、回転動作させて操作を行う構成において、操作リングの内側に配置され、操作リングとは異なる材質で形成される軸受部材と、軸受部材の外周に固定されて、操作リングの内周と接触するように配置されるＯリングと、操作リングの内側に配置され、軸受部材を固定するためのベース部材を備え、軸受部材の外周部には、操作リング操作時に回転トルクが発生するようにＯリングをチャージするための複数の凸形状が形成され、軸受部材は操作リングよりも線膨張係数の大きい材料で形成されるとともに、凸形状部の内壁には空隙部が形成されて、温度変化時にはＯリングのチャージ力が軽減される方向へと弾性変形可能に構成したこと特徴とする。【選択図】図１
2016133680.tif 000002
【特許請求の範囲】
【請求項１】
回転操作リング（１０３）をレンズ鏡筒周りに配置し、回転動作させて操作を行う構成において、
回転操作リング（１０３）の内側に配置され、前期回転操作リング（１０３）とは異なる材質で形成される軸受部材（１０１）と、
前期軸受部材（１０１）の外周に固定されて、前期回転操作リング（１０３）の内周と接触するように配置され弾性材料で形成されるＯリング（１０２）と、
前期回転操作リング（１０３）の内側に配置され、前期軸受部材（１０１）を固定するように形成されるベース部材（１０６）を備え、
前期軸受部材（１０１）の外周部には、前期回転操作リング（１０３）操作時に回転トルクが発生するようにＯリング（１０２）をチャージするための複数の凸形状（１０１ｂ）が形成され、
前期軸受部材（１０１）は前期回転操作リング（１０３）よりも線膨張係数の大きい材料で形成されるとともに、前期凸形状部（１０１ｂ）の内壁には空隙部（１０１ｃ）が形成されて、温度変化時にはＯリング（１０２）のチャージ力が軽減される方向へと弾性変形可能に構成したことを特徴とする撮像装置。
【請求項２】
前記回転操作リング（１０３）は金属材料で形成されるとともに、前期軸受部材（１０１）は樹脂材料で形成され、軸受部材（１０１）に形成された凸形状部（１０１ｂ）の内壁には空隙部（１０１ｃ）が形成されて、温度変化時にはＯリング（１０２）のチャージ力が軽減される方向へと弾性変形可能に構成したことを特徴とする請求項１に記載の撮像装置。
【請求項３】
前期Ｏリング（１０２）は導電性のゴム材料で形成され、前期軸受部材（１０１）は導電性樹脂材料によって形成されることで、前期回転操作リング（１０３）と前期ベース部材（１０６）の電気的な導通を確保するように構成されたことを特徴とする請求項１又は請求項２に記載の撮像装置。
【発明の詳細な説明】
【技術分野】
【０００１】
本発明は、デジタルカメラ等の電子機器の操作部材に関し、特に回転操作リングの保持構成に関する。
【背景技術】
【０００２】
近年、デジタルカメラの小型化・高機能化が進み、コンパクトサイズのカメラにおいても撮影時のマニュアル設定機能を備え、ユーザーが操作リングを操作することによってシャッター速度や露出等の設定値を任意に変更可能なものが増えてきている。
【０００３】
従来、回転操作部材と静止部材を同軸に設け、静止部材に対して電歪素子を配置し、電歪素子に対して電圧を印加することにより変形させて、回転操作部材との隙間を一定に保つことを可能にしたものがある。この構成において、回転操作部材の周囲において温度を検出する手段を設けて、検出温度に応じて電歪素子への印加電圧を制御することで熱膨張した際にも回転操作部材の隙間量を一定にすることで操作力の変化を防止する構成が開示されている。
【先行技術文献】
【特許文献】
【０００４】
【特許文献１】特開平０７−２０８４５５号公報
【発明の概要】
【発明が解決しようとする課題】
【０００５】
しかしながら、上述の特許文献１に開示された従来技術では静止部材に対して電歪素子を配置しており電圧を印加するための構成が必要となる、さらに周囲の温度変化を検出するための温度検出手段を配置する必要があった。この構成では回転部材内部の構成が複雑になるためコストアップの原因となってしまっていた。また、電歪素子への電圧印加や温度検出手段による周囲の温度検知などの電気的な制御を必要としていた。
【０００６】
本発明の目的は、部品構成を複雑にすることなく、かつ電気的な制御が必要ない構成で回転操作部材の操作力を一定にすることを可能にした撮像装置を提供することにある。
【課題を解決するための手段】
【０００７】
上記の目的を達成するために、本発明は以下の構成からなる。
回転操作リングをレンズ鏡筒周りに配置し、回転動作させて操作を行う構成において、
回転操作リングの内側に配置され、前期回転操作リングとは異なる材質で形成される軸受部材と、
前期軸受部材の外周に固定されて、前期回転操作リングの内周と接触するように配置され弾性材料で形成されるＯリングと、
前期回転操作リングの内側に配置され、前期軸受部材を固定するように形成されるベース部材を備え、
前期軸受部材の外周部には、前期回転操作リング操作時に回転トルクが発生するようにＯリングをチャージするための複数の凸形状が形成され、
前期軸受部材は前期回転操作リングよりも線膨張係数の大きい材料で形成されるとともに、前期凸形状部の内壁には空隙部が形成されて、温度変化時にはＯリングのチャージ力が軽減される方向へと弾性変形可能に構成したことを特徴とする。
【発明の効果】
【０００８】
本発明の撮像装置によれば、回転操作リングの内側において軸受部材に固定されたＯリングをチャージさせながら摺動させることによって、回転操作リングの操作時に適度な回転トルクを発生することが可能となる。また、軸受部材に形成された凸形状部はＯリングのチャージ量が軽減される方向へと弾性変形可能なことから、温度変化によって軸受部材が変形した際にはチャージ量が変化して回転トルクが重くなることを防止することが可能となる。
【図面の簡単な説明】
【０００９】
【図１】本発明を適用したデジタルカメラの実施例における構成を最も端的に示した分解斜視図である。
【図２】本発明を適用したデジタルカメラの実施例におけるカメラ内部の斜視図である。
【図３】本発明を適用したデジタルカメラの実施例におけるカメラ本体の断面図である。
【図４】本発明を適用したデジタルカメラの実施例におけるカメラ本体の部品図である。
【図５】本発明を適用したデジタルカメラの実施例におけるカメラ内部の部品図である。
【図６】本発明を適用したデジタルカメラの実施例におけるカメラ本体の斜視図である。
【図７】本発明を適用したデジタルカメラの実施例におけるカメラ内部の断面図である。
【図８】本発明を適用したデジタルカメラの実施例におけるカメラ内部の断面図である。
【発明を実施するための形態】
【００１０】
以下に、本発明の好ましい実施の形態を、添付の図面に基づいて詳細に説明する。
【実施例１】
【００１１】
図１は本発明の実施形態にかかわる撮像装置の分解斜視図である。１０１は操作部の前面を覆うフロントキャップ、１０２はフロントキャップに固定されゴム材料で形成されるＯリングである。Ｏリング１０２はフロントキャップ１０１の外周に形成された溝部に嵌めこまれて固定される。
【００１２】
１０３は鏡筒周囲の前方側に配置されるフォーカス操作リング、１０４はフォーカス操作リング１０３および後方に位置するズーム操作リング１０５の間に配置される中間リングであり樹脂材料によって形成される。フォーカス操作リング１０３およびズーム操作リング１０５は、アルミ等の金属材料により形成され、その外観面にはユーザーが把持して回転操作しやすいようにローレット形状が形成されている。
【００１３】
１０６は金属材料で形成されたベース部材でありフロントカバー１０７に接着固定されたフロントインナー１０８に対して締結ビス１１１を使用して固定される。
フロントカバー１０７はカメラ本体の前面の外観面を形成しており、アルミ等の金属材料を絞り加工して形成される。
【００１４】
１０９はフォーカス操作リング１０３の回転位置を検出するためのフォトリフレクタでありホルダ部材１１０によってベース部材１０６に固定される。
【００１５】
以上のような構成によってフロントカバーユニットを形成しており、フォーカス操作リング１０３およびズーム操作リング１０５が中間リング１０４を挟むように前後方向に連続して回転操作可能に配置されている。
【００１６】
図２はフロントカバーユニットの外観を示す斜視図である。図２に示すように、光軸方向の前方側に位置するフォーカス操作リング１０３は先端側をフロントキャップ１０１によって、後端側を中間リング１０４によって軸支されている。また、後方側に位置するズーム操作リング１０５は先端側を中間リング１０４によって、後端側をフロントカバー１０７に接着固定されたフロントインナー１０８によって軸支されている。これら２つの操作リングの内部には前述のベース部材１０６が配置されており、ベース部材１０６に対して中間リング１０４およびフロントキャップ１０１は固定されている。
【００１７】
次に、図３を使用してフロントカバーユニットの内部構成を説明する。図３はフロントカバーユニットを示しており、図３（ａ）は正面図、（ｂ）は断面図である。図３（ｂ）に示すように、フォーカス操作リング１０３の先端側はフロントキャップ１０１の外形に固定されたＯリング１０２に接触した状態で軸支されている。
【００１８】
Ｏリング１０２はシリコンゴム等の弾性変形可能な材料で形成されており、フロントキャップ１０１およびフォーカス操作リング１０３によって挟まれて僅かにチャージされた状態となっている。この状態でフォーカス操作リング１０３を回転操作することで、Ｏリング１０２のチャージ量に応じた回転トルクが発生する。このときのチャージ量は、ユーザーがフォーカス操作リング１０３を回転操作する際に適切なトルクとなるように調整されている。
【００１９】
フォーカス操作リング１０３の後端側は内径部分を中間リング１０４によって回転可能に保持されている。中間リングはベース部材１０６に対して回転規制された状態で固定されており、これによりフォーカス操作リング１０３はＯリング１０２および中間リング１０４に対して回転摺動可能に保持されている。
【００２０】
次に、図４にフロントキャップ１０１の形状を示す。フロントキャップ１０１はフォーカス操作リング１０３との嵌合部外周において、Ｏリング１０２を固定するための溝形状１０１ａが形成されている。また、溝形状部１０１ａを一部切り欠くようにフロントキャップ１０１の外周面にはＯリングチャージ部１０１ｂが形成される。
【００２１】
Ｏリングチャージ部１０１ｂは周方向において複数配置されており、本実施例においては３箇所が等間隔で形成されている。Ｏリングチャージ部１０１ｂは溝形状部１０１ａの外径に対して凸形状を成すように形成されており、これによりフォーカス操作リング１０３との間に挟まれたＯリング１０２に対してチャージを行うことで操作時の回転トルクを発生する。この凸形状の高さや幅を大きくすることでＯリング１０２に対してのチャージ量を増やすことが可能となり、回転トルクが適切になるように形状が形成されている。３箇所のＯリングチャージ部１０１ｂのそれぞれの内側には、空隙部１０１ｃが形成されている。
【００２２】
次に、図５にフォーカス操作リング１０３の形状を示す。フォーカス操作リング１０３の外観にはユーザーが回転操作をしやすいようにローレット形状が形成されている。また、内部には連続した明暗の回転検知パターン１０３ａが塗装されており、後述するフォトリフレクタ１０９によって反射光を読み取ることで回転操作時の回転方向および回転位置の検知を行う。
【００２３】
図６はフロントカバーユニットの内部を示す斜視図である。内部の説明のためにフォーカス操作リング１０３を省略した状態を表している。図６に示すようにフォーカス操作リング１０３の内部に配置されたベース部材１０６に対して、回転検知のためのフォトリフレクタ１０９がホルダ部材１１０を介して固定されている。フォトリフレクタ１０９は所定間隔で２個の素子１０９ａが配置されており、前述の回転検知パターン１０３からの反射光を読み取ることで回転方向および回転位置の検出を行う。フォトリフレクタ１０９はフレキシブルケーブル１１２によって不図示の基板へと接続されている。
【００２４】
次に図７および図８を使用して、熱膨張時の回転操作トルクの変化を防止する構成について説明する。図７（ａ）はフロントカバーユニットの側面図、（ｂ）はＯリング１０２とフォーカス操作リング１０３接触部の断面図であり、図８はＯリングチャージ部１０１ｂ付近の拡大図である。
【００２５】
図８において、Ｏリング１０２はフォーカス操作リング１０３の内周面と接触するとともに、フロントキャップ１０１のＯリングチャージ部１０１ｂの凸形状によってチャージされている。Ｏリング１０２の形状はフロントキャップ１０１の溝形状部１０１ａの外径よりも小さく設定されているため、Ｏリング１０２固定時には変形させながら嵌めこまれる。そのため、Ｏリング１０２はフロントキャップ１０１に対して回転規制された状態であり、フォーカス操作リング１０３の回転時にはフォーカス操作リング１０３の内周面とＯリング１０２の外周面との間で摺動する。
【００２６】
ここで、熱膨張によりチャージ量が変化した際に回転トルクが変動するのを防止する構成について説明する。温度変化が起きた際には、フォーカス操作リング１０３とフロントキャップ１０１とで材質の線膨張係数が異なるために熱膨張による変形量も異なってくる。この場合、フロントキャップ１０１は樹脂材料で形成されており、熱膨張による変形が大きいためＯリングチャージ部１０１ａの外形が膨張する量に対してフォーカス操作リング１０３が膨張する量は少ない。その結果、熱膨張時には通常時に比べてＯリング１０２に対するチャージ量が大きくなる。この時、フロントキャップ１０１のＯリングチャージ部１０１ｂの内壁には空隙部１０１ｃが形成されているため、図中の矢印の方向へと弾性変形を行う。Ｏリングチャージ部１０１ｂの変形により、Ｏリング１０２へのチャージ量は減少するように作用して、回転トルクが急激に増加するのを防止することが可能となる。
【００２７】
図８に示すように、Ｏリングチャージ部１０１ｂ以外の範囲においては、Ｏリング１０２とフロントキャップ１０１の溝形状部１０１ａ外周との間には隙間が設けられている。これにより、熱膨張時にＯリングチャージ部１０１ｂ以外の範囲でＯリング１０２がチャージされてしまうことを防止できる。この隙間量は製品の使用温度範囲において、熱膨張した際の量よりも大きくなるように設定される。
【００２８】
以上、説明したように本実施例では、フロントキャップ１０１のＯリングチャージ部１０１ｂの内壁に空隙部１０１ｃを設けて熱膨張時にＯリング１０２へのチャージ量が減少する方向へと弾性変形可能に構成される。これにより、部品構成を複雑にしたり、電気的な制御を用いることなく、熱膨張時にフォーカス操作リング１０３の回転トルクが急激に増加するのを防止することが可能となる。
【００２９】
以上、本発明の好ましい実施形態について説明したが、回転操作リングの機能はフォーカス、ズーム操作に限らずユーザーが任意に変更可能にしても良く、その要旨の範囲内で種々の変形及び変更が可能である。
【符号の説明】
【００３０】
１０１  フロントキャップ（軸受部材）、１０２  Ｏリング、
１０３  フォーカス操作リング、１０４  中間リング、１０５  ズーム操作リング、
１０６  ベース部材、１０７  フロントカバー、１０８  フロントインナー、
１０９  フォトリフレクタ、１１０  ホルダ部材、１１１  締結ビス
【図１】
2016133680.tif 000003
【図２】
2016133680.tif 000004
【図３】
2016133680.tif 000005
【図４】
2016133680.tif 000006
【図５】
2016133680.tif 000007
【図６】
2016133680.tif 000008
【図７】
2016133680.tif 000009
【図８】
2016133680.tif 000010